(57)【要約】【課題】メモリカード排出時に周囲に通知しないため、保育者が目を離した隙に子供が抜き取って誤飲してしまい、重大な事故に繋がる可能性がある【解決手段】メモリカードスロットのメモリカード装着状態を監視するメモリカード装着状態判断手段１０６と、アンテナや外部入力端子から入力された映像信号や音声信号と映像／音声データ記憶装置に記憶されている映像信号や音声信号を切り替える映像／音声信号処理装置制御手段１０７を備え、メモリカードが抜かれると入力された映像信号や音声信号とは異なる映像信号や音声信号を出力することにより、乳幼児が誤飲する前に保育者が気付くことで未然に防ぐことができる。【選択図】図１
2008072283.tif 000002
【特許請求の範囲】
【請求項１】
メモリカードスロットのメモリカード装着状態を監視するメモリカード装着状態判断手段と、
アンテナや外部入力端子から入力された第一の映像信号や音声信号と、映像／音声データ記憶装置に記憶されている第二の映像信号や音声信号とを切り替える映像／音声信号処理装置制御手段とを備え、
前記メモリカード装着状態判断手段でメモリカードが抜かれたことを検出した際に、前記第一の映像信号や音声信号を、前記第二の映像信号や音声信号に切り替えて出力することを特徴とするメモリカード装置。
【請求項２】
電源処理装置を制御する電源処理装置制御手段を更に備え、
前記メモリカード装着状態判断手段でメモリカードが抜かれたことを検出した際に、前記電源処理装置制御手段を用いて電源をオンし、前記第二の映像信号や音声信号を出力することを特徴とする請求項１記載のメモリカード装置。
【発明の詳細な説明】
【技術分野】
【０００１】
本発明は、メモリカードスロットを搭載したテレビジョン受像機に関するものである。
【背景技術】
【０００２】
近年、ＳＤメモリカードやマルチメディアカードなど小型化された記録媒体が普及し始め、持ち運びや収納が便利になり、手軽に番組放送などの録画や再生ができるようになってきた。一方、小型化は、幼児や子供が口に持って行ったときに誤って飲み込む可能性に繋がる。例えばＳＤメモリカードの大きさは２４ｍｍ×３２ｍｍ×２．１ｍｍであり、乳幼児が飲み込むことができる大きさは、口径３２ｍｍ、長さ５７ｍｍとされている。ＳＤメモリカードはその範囲内にあり、乳幼児が口の中に入れ誤って飲み込んでしまう可能性がある。また、ＳＤメモリカードは抜き忘れなども含めてテレビなどの電子機器に常時装着されている場合も多く、その排出方法は軽く押して抜く方法や蓋を開けて引っ張るだけなど簡単であり、指でつまむことができ、何でも口の中に入れる乳幼児は容易に誤飲することが考えられる。
【０００３】
特許文献１は、メモリカードを取り出す際に、イジェクトボタンを押し、ＯＳの遅延書込みの完了後に自動的にメモリカードを吐き出すことにより、メモリカード内のデータの破壊を回避する技術が開示されている。しかしながら、特許文献１の技術では、メモリカードの乳幼児による誤飲を防ぐことができない。
【特許文献１】特開２００４−１０２８６４号公報
【発明の開示】
【発明が解決しようとする課題】
【０００４】
本発明により解決しようとする問題点は、メモリカード排出時に周囲に通知しないため、保育者が目を離した隙に子供が抜き取って誤飲してしまい、重大な事故に繋がる可能性があるという点である。
【課題を解決するための手段】
【０００５】
本発明の請求項１に係るメモリカード装置は、メモリカードスロットのメモリカード装着状態を監視するメモリカード装着状態判断手段と、アンテナや外部入力端子から入力された第一の映像信号や音声信号と、映像／音声データ記憶装置に記憶されている第二の映像信号や音声信号とを切り替える映像／音声信号処理装置制御手段とを備え、前記メモリカード装着状態判断手段でメモリカードが抜かれたことを検出した際に、前記第一の映像信号や音声信号を、前記第二の映像信号や音声信号に切り替えて出力することを特徴とする。
【０００６】
また、本発明の請求項２に係るメモリカード装置は、請求項１記載のメモリカード装置の構成において、電源処理装置を制御する電源処理装置制御手段を更に備え、前記メモリカード装着状態判断手段でメモリカードが抜かれたことを検出した際に、前記電源処理装置制御手段を用いて電源をオンし、前記第二の映像信号や音声信号を出力することを特徴とする。
【発明の効果】
【０００７】
本発明は、メモリカードを排出した時に周囲にメモリカードの取り出しが行われたことを通知するため、乳幼児が誤飲する前に保育者が気付くことで未然に防ぐことができるという効果がある。また、映像や音声の出力が変化することで、映像や音声の出力に乳幼児の注意が向けられ、自ら口に入れることを止め、誤飲を防ぐという効果もある。
【発明を実施するための最良の形態】
【０００８】
（実施の形態１）
図１は、本発明の実施の形態１におけるメモリカード装置の構成を示すブロック図である。図１において１０１はチューナー、１０２は入力信号選択装置、１０３は映像／音声信号処理装置、１０４はメモリカード装着状態検出装置、１０５はマイコン、１０６はメモリカード装着状態判断手段、１０７は映像／音声信号処理装置制御手段、１０８は映像／音声データ記憶装置、１０９は表示装置、１１０は音声出力装置を示す。
【０００９】
チューナー１０１はアンテナから入力された信号から指定された信号を選択する。入力信号選択装置１０２はチューナー１０１または外部入力端子などの入力信号から視聴すべき入力信号を選択し出力する。映像／音声信号処理装置１０３は入力信号選択装置１０２から入力された映像信号を表示装置１０９に出力し、音声信号を音声出力装置１１０に出力する。
【００１０】
マイコン１０５はメモリカード装着状態判断手段１０６と音声信号処理装置制御手段１０７を含む。メモリカード装着状態検出装置１０４はメモリカードスロットにメモリカードが挿入されているか否かを検出する。メモリカード装着状態判断手段１０６は、メモリカード装着状態検出装置１０４の状態を監視している。メモリカード装着状態検出装置１０４の状態が挿入されていない状態から挿入されている状態に変化すると、映像／音声信号処理装置制御手段１０７に通知する。映像／音声信号処理装置制御手段１０７は、メモリカード装着状態判断手段１０６から通知を受けると、入力信号選択装置１０２から入力された映像信号や音声信号ではなく、映像／音声データ記憶装置１０８に記憶されている映像信号や音声信号を出力するように切り替える。
【００１１】
このように構成されたメモリカード装置について、その動作を説明する。図２は本発明の実施の形態１におけるマイコン１０５の処理を示すフローチャートである。以下に本処理の流れを示す。
【００１２】
マイコン１０５は、メモリカードが抜かれたかどうかを監視し（Ｓ２０１）、メモリカードが挿入されている状態から挿入されていない状態に変化した時は（Ｓ２０１で「ＹＥＳ」）、チューナーからの映像や外部入力端子からの映像など、本来視聴すべき入力信号が出力されている入力信号選択装置からの音声を停止させ（Ｓ２０２）、メモリカードが抜かれたことを周囲に通知する音声データ記憶装置の音声を出力させる（Ｓ２０３）。
【００１３】
なお、上記実施例において、映像は変化させずに音声のみ映像／音声データ記憶装置１０８の出力に切り替えてもよい。
【００１４】
また、上記実施例において、現在視聴中の音量を完全に停止してしまうのではなく、音声データ記憶装置からの音声が際立って聞こえるくらいに音量を小さくしてもよい。
【００１５】
また、映像／音声データ記憶装置の映像信号や音声信号は、ユーザーが自由に選択できるようにしてもよい。
【００１６】
また、映像／音声データ記憶装置の映像信号や音声信号に切り替えるか切り替えないかをユーザーが選択できるようにしてもよい。
【００１７】
実施の形態１では、メモリカードが抜かれた場合に、現在出力されている音声を停止し、「メモリカードが抜かれました」などの特別な音声を出力し、周囲に通知することにより、あるいは、現在出力されている映像と音声を中止し、乳幼児が楽しめる映像と音声に切り替えて乳幼児の注意をメモリカード以外に向けることにより、乳幼児がメモリーカードを抜き取って誤飲してしまい、重大な事故に繋がることを回避できる。
【００１８】
（実施の形態２）
図３は、本発明の実施の形態２におけるメモリカード装置の構成を示すブロック図である。図３において、実施の形態１と同一の構成要素に関しては、同一の番号を付与し、説明を省略する。１１１は、メモリカード処理状態判断手段１０６からの通知を受けると、表示装置１０９と音声出力装置１１０の電源がオフの場合には電源処理装置に電源オンを通知する電源処理装置制御手段、１１２は、電源処理装置制御手段１１１からの通知を受けて電源をオンする電源処理装置を示す。
【００１９】
このように構成されたメモリカード装置について、その動作を説明する。図４は本発明の実施の形態２におけるマイコン１０５の処理を示すフローチャートである。以下に本処理の流れを示す。
【００２０】
マイコン１０５は、メモリカードが抜かれたかどうかを監視し（Ｓ２０１）、メモリカードが挿入されている状態から挿入されていない状態に変化した時は（Ｓ２０１で「ＹＥＳ」）、出力装置が電源オフかを見て（Ｓ２０４）、電源オフであれば（Ｓ２０４で「ＹＥＳ」）、出力装置の電源をオンする（Ｓ２０５）。また、チューナーからの映像や外部入力端子からの映像など、本来視聴すべき入力信号が出力されている入力信号選択装置からの音声を停止させ（Ｓ２０２）、メモリカードが抜かれたことを周囲に通知する音声データ記憶装置の音声を出力させる（Ｓ２０３）。
【００２１】
実施の形態２では、メモリカード装置の電源がＯＦＦの時でも、メモリカードが抜かれると、メモリカード装置の電源をＯＮにし、現在出力されている音声を停止し、「メモリカードが抜かれました」などの特別な音声を出力し、周囲に通知することにより、あるいは、現在出力されている映像と音声を中止し、乳幼児が楽しめる映像と音声に切り替えて乳幼児の注意をメモリカード以外に向けることにより、乳幼児がメモリーカードを抜き取って誤飲してしまい、重大な事故に繋がることを回避できる。
【産業上の利用可能性】
【００２２】
本発明のメモリカード装置は、メモリカードを排出した時に周囲にメモリカードの取り出しが行われたことを通知するため、乳幼児が誤飲する前に保育者が気付くことで未然に防ぐことができ、メモリカード誤飲防止手段として有用である。
【図面の簡単な説明】
【００２３】
【図１】本発明の実施の形態１におけるメモリカード装置の構成を示すブロック図
【図２】本発明の実施の形態１におけるマイコンの処理のフローチャート
【図３】本発明の実施の形態２におけるメモリカード装置の構成を示すブロック図
【図４】本発明の実施の形態２におけるマイコンの処理のフローチャート
【符号の説明】
【００２４】
１０１    チューナー
１０２    入力信号選択装置
１０３    映像／音声信号処理装置
１０４    メモリカード装着状態検出装置
１０５    マイコン
１０６    メモリカード装着状態判断手段
１０７    映像／音声信号処理装置制御手段
１０８    映像／音声データ記憶装置
１０９    表示装置
１１０    音声出力装置
１１１    電源処理装置制御手段
１１２    電源処理装置
【図１】
2008072283.tif 000003
【図２】
2008072283.tif 000004
【図３】
2008072283.tif 000005
【図４】
2008072283.tif 000006